(57)【特許請求の範囲】
【請求項１】
コンピュータのプロセッサによって実行可能なソフトウェア命令として実装される方法であって、前記方法は、
ユーザに対して、グラフィカルユーザーインターフェイス（ＧＵＩ）を介して、複数の臨床ガイドライン入力ステップを行うよう指示するステップと、
前記ＧＵＩを介して、臨床ガイドラインデータを受信するステップと、
前記ＧＵＩを介して、前記臨床ガイドラインデータを複数の公式表現入力ステップへと変換するためのコンテクストに応じたメニューを提供するステップであり、公式表現入力ステップを構築するために、構文的および意味的に正確な選択肢のみが前記ユーザに対して利用可能である、ステップと、
前記ＧＵＩを介して、前記臨床ガイドラインデータの公式表現を受信するステップと、
コンピュータ解釈可能ガイドライン（ＣＩＧ）モデルに基づいて、ＣＩＧに臨床データの前記公式表現をマッピングするステップと、
を含み、さらに、
前記ユーザのログイン認証情報を受信および検証するステップと、
前記ユーザを臨床専門家と知識工学技術者のうち一方として識別するステップと、
前記識別されたユーザに基づいて、前記ＧＵＩを臨床ビューと公式ビューのうち一方に対して調整するステップと、
を含み、
前記指示は、複数の流れ図を使用して、進行追跡機能により提供される
ことを特徴とする方法。
【請求項２】
前記方法は、さらに、
前記ＧＵＩを介して、前記ユーザに対して、臨床決定支援（ＣＤＳ）システムと臨床場所のうち少なくとも一方に関連するコンテキスト特有データを作成するよう指示するステップと、
前記ＧＵＩを介して、コンテキスト特有データを受信するステップと、
前記コンテキスト特有データに適合するように前記ＣＩＧを調整するステップと、を含む、
請求項１に記載の方法。
【請求項３】
前記方法は、さらに、
前記複数の公式表現入力ステップのうち少なくとも１つのステップを不完全であると識別するステップと、
前記不完全であると識別された少なくとも１つのステップに関連する警告を表示するステップと、を含む、
請求項１に記載の方法。
【請求項４】
前記方法は、さらに、
既存のＣＩＧに対する修正を受信するステップと、
前記修正に適合するように前記既存のＣＩＧを調整するステップと、を含む、
請求項１に記載の方法。
【請求項５】
前記既存のＣＩＧを前記調整するステップは、
前記複数の公式表現入力ステップの中の少なくとも２つのステップを併合するステップと、
修正されたＣＩＧの中に臨床ガイドライン特性を維持するステップと、
を含む、
請求項４に記載の方法。
【請求項６】
前記複数の公式表現入力ステップは、全般的なコンテンツステップと、アプリケーション特有のステップと、場所特有のステップとを含む、請求項１に記載の方法。
【請求項７】
コンピュータのプロセッサによってソフトウェア命令を実行するシステムであって、前記システムは、
グラフィカルユーザーインターフェイス（ＧＵＩ）と、
知識獲得及び管理部（ＫＡＭ）であり、
前記ＧＵＩを介して、ユーザに対して複数の臨床ガイドライン入力ステップを行うよう指示して、臨床ガイドラインデータを受信し、
さらに、前記ＧＵＩを介して、前記臨床ガイドラインデータを複数の公式表現入力ステップへと変換するためのコンテクストに応じたメニューを提供し、公式表現入力ステップを構築するために、構文的および意味的に正確な選択肢のみが前記ユーザに対して利用可能である、ＫＡＭと、
コンピュータ解釈可能ガイドライン（「ＣＩＧ」）モデルに基づいて、ＣＩＧに臨床データの前記公式表現をマッピングするマッピングモジュールと、
を備え、
前記ＫＡＭは、前記ユーザのログイン認証情報を受信および検証し、前記ユーザを臨床専門家と知識工学技術者のうち一方として識別し、
前記ＧＵＩは、前記識別されたユーザに基づいて、表示を臨床ビューと公式ビューのうち一方に対して調整し、
前記ＫＡＭによる前記指示は、複数の流れ図を使用して、進行追跡機能により提供される、
ことを特徴とするシステム。
【請求項８】
前記ＫＡＭは、さらに、前記ＧＵＩを介して、前記ユーザに対して、臨床決定支援（ＣＤＳ）システムと臨床場所のうち少なくとも一方に関連するコンテキスト特有データについて指示して、コンテキスト特有データを受信し、
前記マッピングモジュールは、前記コンテキスト特有データに適合するように前記ＣＩＧを調整する、
請求項７に記載のシステム。
【請求項９】
前記ＫＡＭは、前記複数の公式表現入力ステップのうち少なくとも１つのステップを不完全であると識別し、
前記ＧＵＩは、前記不完全であると識別された少なくとも１つのステップに関連する警告を表示する、
請求項７に記載のシステム。
【請求項１０】
前記ＫＡＭは、既存のＣＩＧに対する修正を受信し、
前記マッピングモジュールは、前記修正に適合するように前記既存のＣＩＧを調整する、
請求項７に記載のシステム。
【請求項１１】
前記既存のＣＩＧを前記調整するステップは、
前記複数の公式表現入力ステップの中の少なくとも２つのステップを併合するステップと、
修正されたＣＩＧの中に臨床ガイドライン特性を維持するステップと、
を含む、請求項１０に記載のシステム。
【請求項１２】
前記複数の公式表現入力ステップは、全般的なコンテンツステップと、アプリケーション特有のステップと、場所特有のステップと、を含む、
請求項７に記載のシステム。
【請求項１３】
コンピュータのプロセッサによって実行可能である命令セットを含む固定コンピュータ可読記憶媒体であって、前記命令セットが前記プロセッサによって実行されると、前記コンピュータは少なくとも、
ユーザに対して、グラフィカルユーザーインターフェイス（ＧＵＩ）を介して、複数の臨床ガイドライン入力ステップを行うよう指示し、
前記ＧＵＩを介して、ユーザから臨床ガイドラインデータを受信し、
前記ＧＵＩを介して、前記臨床ガイドラインデータを複数の公式表現入力ステップへと変換するためのコンテクストに応じたメニューを提供し、公式表現入力ステップを構築するために、構文的および意味的に正確な選択肢のみが前記ユーザに対して利用可能であり、
前記ＧＵＩを介して、前記臨床ガイドラインデータの公式表現を受信し、
コンピュータ解釈可能ガイドライン（「ＣＩＧ」）モデルに基づいて、ＣＩＧに臨床データの前記公式表現をマッピングする、
ように動作可能であり、
前記命令セットは、さらに、
前記ユーザのログイン認証情報を受信および検証し、
前記ユーザを臨床専門家と知識工学技術者のうち一方として識別し、
前記識別されたユーザに基づいて、前記ＧＵＩを臨床ビューと公式ビューのうち一方に対して調整する、
ように動作可能であり、
前記指示は、複数の流れ図を使用して、進行追跡機能により提供される、
ことを特徴とする固定コンピュータ可読記憶媒体。
【請求項１４】
前記命令セットは、さらに、
前記ＧＵＩを介して、前記ユーザに対して、臨床決定支援（ＣＤＳ）システムと臨床場所のうち少なくとも一方に関連するコンテキスト特有データを作成するよう指示し、
前記ＧＵＩを介して、コンテキスト特有データを受信し、
前記コンテキスト特有データに適合するように前記ＣＩＧを調整する、
ように動作可能である、
請求項１３に記載の固定コンピュータ可読記憶媒体。
【請求項１５】
前記命令セットは、さらに、
前記複数の公式表現入力ステップのうちの少なくとも１つのステップを不完全であると識別し、
前記不完全であると識別された少なくとも１つのステップに関連する警告を表示する、
ように動作可能である、
請求項１３に記載の固定コンピュータ可読記憶媒体。
【発明の詳細な説明】
【技術分野】
【０００１】
本発明は、知識獲得及び管理ツールを使用してコンピュータ解釈可能ガイドラインを作製するためのシステムおよび方法に関する。
【背景技術】
【０００２】
臨床ガイドラインとは、医学的状態の処置およびケアに対する提案を指す。これらのガイドラインは、例えば、特定の健康管理分野にある患者の診断、管理、および治療のための決定および決定基準から成る。現代の臨床ガイドラインは、予防、診断、予後、治療（例えば、薬物の投与）、危険性／有益性評価および費用対効果に関して利用可能な最高品質のエビデンスおよび最新のデータを特定、要約および評価する。したがって、これらの臨床ガイドラインは、臨床診療に関連する最も重要な問題を明示し、最も可能性のある決定選択肢およびそれらの結果を特定することができる。臨床ガイドラインは通常、医師会または自治体によって国内および国際レベルの両方において作成される。
【０００３】
一般に、臨床ガイドラインの目的は、医療的ケアを標準化すること、ケアの質を向上させること、患者およびヘルスケア提供者の両方に対する数種類の危険性を低減すること、および、費用と、有効性、特異度、感受性などのような医療パラメータとの間の最良のバランスを達成することである。加えて、臨床ガイドラインは、様々な決定点およびそれぞれの一連の行動を、施術者の臨床判断および経験と統合するために従われ得る決定および計算アルゴリズムを含み得る。しかしながら、これらの臨床ガイドライン内で現在使用されている計算アルゴリズムは、意思決定プロセス全体の複雑性を増大させるものである。
【０００４】
Ｓｈａｈａｒ  ｅｔ  ａｌ，Ｊｏｕｒｎａｌ  ｏｆ  Ｂｉｏｍｅｄｉｃａｌ  Ｉｎｆｏｒｍａｔｉｃｓ  ３７（２００４）３２５−３４４は、分散ハイブリッドマルチオントロジ臨床ガイドラインライブラリのためのフレームワーク、および自動ガイドライン支援ツールを開示している。この著者らは、ウェブベースのモジュール式分散アーキテクチャである、デジタル電子ガイドラインライブラリ（ＤｅＧｅＬ）を紹介しており、これは、臨床ガイドラインをテキストから選択された目標のガイドラインオントロジにおける公式表現に徐々に変換することを可能にする。このアーキテクチャは、ガイドライン分類、セマンティックマークアップ、コンテキストに応じた検索、閲覧、ランタイムアプリケーション、および遡及的品質評価をサポートする。ＤｅＧｅＬハイブリッドメタ−オントロジは、意味論的分類、領域知識のようなすべてのガイドラインオントロジに共通の要素を含み、これは、４つのコンテン表現フォーマット、すなわち、フリーテキスト、半構造化テキスト、準公式表現、および公式表現をも含む。これらのフォーマットは、ますます高度化されていく計算タスクをサポートする。ガイドラインベースのケアを支援するためのＤｅＧｅＬツールは、何らかのレベルにおいて、すべてのガイドラインオントロジに対して動作する。この著者らは、ＡｓｂｒｕおよびＧＥＭを含む、いくつかのガイドラインオントロジのためのアーキテクチャおよびツールの実現可能性を実証したと主張している。
【０００５】
Ｐｅｌｅｇ  ｅｔ  ａｌ，Ｊ  Ａｍ  Ｍｅｄ  Ｉｎｆｏｒｍ  Ａｓｓｏｃ．２００４；１１：１−１０は、共有可能コンピュータ解釈可能ガイドラインへの取り組みを開示している。主要な目標は、コンピュータ解釈可能ガイドライン（ＣＩＧ）をモデリングするための標準規格としての役割を果たし得る、ガイドライン交換フォーマット（ＧＬＩＦ）と呼ばれる共有可能言語を開発することである。記載されているレッスンは、（１）複数機関による研究および異なる視点を考慮する開発のための研究プロセス、（２）医療知識表現フォーマットを開発するための進化的なライフサイクルプロセス、（３）進化的な開発プロセスを評価および補助するための認識方法の役割、（４）アーキテクチャの開発および（５）共有可能医療知識表現フォーマットに対する設計原則、ならびに（６）ＣＩＧモデリング言語の標準化のためのプロセスを含む。
【０００６】
Ｄｅ  Ｃｌｅｒｃｑ  ｅｔ  ａｌ，Ａｒｔｉｆｉｃｉａｌ  Ｉｎｔｅｌｌｉｇｅｎｃｅ  ｉｎ  Ｍｅｄｉｃｉｎｅ（２００４）３１，１−２７は、決定支援を可能にするコンピュータ解釈可能ガイドラインを作成するためのプロセスを開示している。コンピュータベースの決定支援システム内にガイドラインを実装することは、政策展開、利用管理、教育、臨床試験、およびワークフロー円滑化のような多様な分野にますます適用されるようになっている。多くの団体が、コンピュータベースのガイドライン、およびこれらのガイドラインを組み込む決定支援システムを開発している。この著者らは、決定支援を可能にするコンピュータベースのガイドラインを開発および実装するための一般的な手法を検討している。著者らは、ガイドライン表現、獲得、検証および実行の態様に対処している。この論文は、５つの手法（Ａｒｄｅｎ  Ｓｙｎｔａｘ、ガイドライン交換フォーマット（ＧＬＩＦ）、ＰＲＯｆｏｒｍａ、ＡｓｂｒｕおよびＥＯＮ）を説明、比較、および論述している。
【０００７】
Ｂｏｘｗａｌａ  ｅｔ  ａｌ，Ｊｏｕｒｎａｌ  ｏｆ  Ｂｉｏｍｅｄｉｃａｌ  Ｉｎｆｏｒｍａｔｉｃｓ  ３７（２００４）１４７−１６１は、共有可能なコンピュータ解釈可能臨床診療ガイドラインのための表現フォーマットを開示している。ガイドライン交換フォーマット（ＧＬＩＦ）は、共有可能なコンピュータ解釈可能ガイドラインを表現するためのモデルである。ＧＬＩＦ３は、３つのレベル、すなわち、概念フローチャート、論理的一貫性および完全性について検証することができる計算可能な仕様、および特定の期間の情報システムに組み込まれるように意図されている実装可能な仕様においてガイドラインを符号化することを可能にする。この表現は、臨床使用されているガイドラインの範囲に一般的である、広範なガイドラインに関してテストされている。ＧＬＩＦ３は、コンピュータベースの決定支援システムにおいて符号化ガイドラインの解釈を可能にするいくつかの構成概念を加えることによって、ＧＬＩＦ２を増強したものである。ＧＬＩＦ３は、ガイドラインを臨床情報システムと統合することを可能にするためにヘルスレベル７において開発されている標準規格を利用する。ＧＬＦ３仕様は、リソース・ディスクリプション・フレームワーク（ＲＤＦ）に基づく拡張オブジェクト指向モデル、および、構造化構文から成る。ＧＬＩＦ３を使用して適切な提案を生成することができるかの実験検証が、実際の患者データに対して、符号化ガイドラインを実行することによってテストされている。したがって、ＧＬＩＦ３は、それが臨床ガイドラインの論理を捉えることができるかを評価し、それらを臨床システムに実装し、それによって、統合された決定支援を提供して臨床医を補助することを望む機関によってより広く実験および試用する準備ができている。
【先行技術文献】
【非特許文献】
【０００８】
【非特許文献１】Ｓｈａｈａｒ  ｅｔ  ａｌ，Ｊｏｕｒｎａｌ  ｏｆ  Ｂｉｏｍｅｄｉｃａｌ  Ｉｎｆｏｒｍａｔｉｃｓ  ３７（２００４）３２５−３４４
【非特許文献２】Ｐｅｌｅｇ  ｅｔ  ａｌ，Ｊ  Ａｍ  Ｍｅｄ  Ｉｎｆｏｒｍ  Ａｓｓｏｃ．２００４；１１：１−１０
【非特許文献３】Ｄｅ  Ｃｌｅｒｃｑ  ｅｔ  ａｌ，Ａｒｔｉｆｉｃｉａｌ  Ｉｎｔｅｌｌｉｇｅｎｃｅ  ｉｎ  Ｍｅｄｉｃｉｎｅ（２００４）３１，１−２７０
【非特許文献４】Ｂｏｘｗａｌａ  ｅｔ  ａｌ，Ｊｏｕｒｎａｌ  ｏｆ  Ｂｉｏｍｅｄｉｃａｌ  Ｉｎｆｏｒｍａｔｉｃｓ  ３７（２００４）１４７−１６１
【発明の概要】
【発明が解決しようとする課題】
【０００９】
臨床ガイドライン文書をコンピュータ解釈可能ガイドライン（「ＣＩＧ」）に変換するためのシステムおよび方法を本明細書に記載する。
【課題を解決するための手段】
【００１０】
一実施形態は、ユーザに、グラフィカルユーザーインターフェイス（「ＧＵＩ」）を介して、複数の臨床ガイドライン入力ステップを行うよう指示するステップと、ＧＵＩを介して、臨床ガイドラインデータを受信するステップと、ＧＵＩを介して、ユーザに、当該臨床ガイドラインデータに関連する複数の公式表現入力ステップを行うよう指示するステップと、ＧＵＩを介して、臨床ガイドラインデータの公式表現を受信するステップと、コンピュータ解釈可能ガイドライン（「ＣＩＧ」）モデルに基づいて、コンピュータ解釈可能ガイドライン（「ＣＩＧ」）に臨床データの公式表現をマッピングするステップとを含む方法を参照し、方法は、ユーザのログイン認証情報を受信および検証するステップと、ユーザを臨床専門家および知識工学技術者のうちの一方として識別するステップと、識別されたユーザに基づいて、ＧＵＩを臨床ビューおよび公式ビューのうちの一方に対して調整するステップとをさらに含む。
【００１１】
さらなる実施形態は、グラフィカルユーザーインターフェイス（「ＧＵＩ」）と、ＧＵＩを介して、ユーザに複数の臨床ガイドライン入力ステップを行うよう指示し、臨床ガイドラインデータを受信し、ＧＵＩを介して、ユーザに当該臨床ガイドラインデータに関連する複数の公式表現入力ステップを行うようさらに指示し、臨床ガイドラインデータの公式表現を受信する知識獲得及び管理部（「ＫＡＭ」）と、コンピュータ解釈可能ガイドライン（「ＣＩＧ」）モデルに基づいて、コンピュータ解釈可能ガイドライン（「ＣＩＧ」）に臨床データの公式表現をマッピングするマッピングモジュールとを備えるシステムを参照し、ＫＡＭは、ユーザのログイン認証情報を受信および検証し、ユーザを臨床専門家および知識工学技術者のうちの一方として識別し、識別されたユーザに基づいて、ＧＵＩを臨床ビューおよび公式ビューのうちの一方に対して調整する。
【００１２】
さらなる実施形態は、プロセッサによって実行可能である命令セットを含む固定コンピュータ可読記憶媒体を参照し、命令セットは少なくとも、ユーザに、グラフィカルユーザーインターフェイス（「ＧＵＩ」）を介して、複数の臨床ガイドライン入力ステップを行うよう指示し、ＧＵＩを介して、臨床ガイドラインデータを受信し、ＧＵＩを介して、当該臨床ガイドライン臨床ガイドラインデータに関連する複数の公式表現入力ステップを行うよう指示し、ＧＵＩを介して、臨床ガイドラインデータの公式表現を受信し、コンピュータ解釈可能ガイドライン（「ＣＩＧ」）モデルに基づいて、コンピュータ解釈可能ガイドライン（「ＣＩＧ」）に臨床データの公式表現をマッピングするよう動作可能であり、命令セットは、ユーザのログイン認証情報を受信および検証し、ユーザを臨床専門家および知識工学技術者のうちの一方として識別し、識別されたユーザに基づいて、ＧＵＩを臨床ビューおよび公式ビューのうちの一方に対して調整するようさらに動作可能である。
【００１３】
好ましい実施形態によれば、命令セットは、既存のＣＩＧに対する変更を受信し、変更に対応するように既存のＣＩＧを調整するようさらに動作可能である。
【００１４】
さらなる好ましい実施形態によれば、既存のＣＩＧを調整することは、複数の公式表現入力ステップの中の少なくとも２つのステップを併合することと、変更されたＣＩＧの中に臨床ガイドライン特性を維持することとを含む。
【図面の簡単な説明】
【００１５】
【図１】本明細書に記載する例示的な実施形態に係る、知識獲得及び管理部（「ＫＡＭ」）を使用して臨床ガイドラインをコンピュータ解釈可能ガイドライン（「ＣＩＧ」）に変換するための例示的なフローチャートである。
【図２】本明細書に記載する例示的な実施形態に係るＫＡＭツールの開始ページの例示的な画面ビューを示す図である。
【図３】本明細書に記載する例示的な実施形態に係るＫＡＭツールのＣＩＧ内の表現作成のための例示的なウィザードの例示的な画面ビューを示す図である。
【図４】本明細書に記載する例示的な実施形態に係るＫＡＭツールによって表示される臨床プロセスビューおよび公式プロセスビューの両方の２つの例示的な画面ビューの間の比較を示す図である。
【図５】本明細書に記載する例示的な実施形態に係るＫＡＭツールを使用してＣＩＧにノード特有の特性を追加するための例示的な画面ビューを示す図である。
【図６】本明細書に記載する例示的な実施形態に係るＫＡＭツールを使用した、ＣＩＧの著者のビューおよびＣＩＧのアプリケーション特化ビューの両方の例示的な画面ビューを示す図である。
【図７】本明細書に記載する例示的な実施形態に係るＫＡＭツールを使用してさらなる仕様入力を必要とするノードを強調するための例示的な画面ビューを示す図である。
【図８】本明細書に記載する例示的な実施形態に係るＫＡＭツールを使用して臨床ガイドラインをＣＩＧに変換するための例示的な方法を示す図である。
【発明を実施するための形態】
【００１６】
例示的な実施形態は、以下の例示的な実施形態の説明および関連する添付図面を参照すればさらに理解することができ、図面において同様の要素には同じ参照符号が与えられている。例示的な実施形態は、臨床ガイドライン文書をコンピュータ解釈可能ガイドライン（「ＣＩＧ」）に変換するためのシステムおよび方法に関する。
【００１７】
上記のように、臨床ガイドライン（「ＧＬ」）は、医学的状態の処置およびケアに対する提案を記録するのに使用され得る。一般的に、ＧＬは、これらの医療ニーズがある患者の診断、管理、および治療のための決定および決定基準から成る。医療ニーズは、特定の疾患および状態、複数の疾患、トリアージ、診断、患者集団、行き届いたケアに対するものであり得る。ＣＩＧは、これらの診療ＧＬ内に含まれる臨床的知識のコンピュータ解釈可能表現と考えてもよい。
【００１８】
最近の研究は、これらの診療ＧＬの提案を忠実に実行することによって、費用が低減し、結果が改善することを示している。結果として、ガイドラインを忠実に実行することは、パフォーマンスの測度および補償にますます関係するようになっている。これによって、ヘルスケアソリューション、特に臨床決定支援（「ＣＤＳ」）システムおよびアプリケーションがＣＩＧ技術を使用してこの風潮を支持する機会が生み出されている。
【００１９】
本明細書に記載する例示的なシステムおよび方法によれば、ＣＩＧを生成することは、医療処置の臨床的知識および公式表現の（例えば、コンピュータベースの）知識の両方を必要とし得る。例示的な実施形態は、協調したＣＩＧの作成および維持のために知識獲得・管理（「ＫＡＭ」）ツールを利用することができる。本開示全体を通じて記載されている実施形態は、臨床ガイドラインおよび処置を対象とし得るが、これらのシステムおよび方法は、医療分野以外の任意のガイドライン、プロトコル、ワークフロー、および／または経路ベースの実施形態に適用可能であり得ることが留意されるべきである。
【００２０】
図１は、書面臨床ガイドライン（「ＧＬ」）１１０をコンピュータ解釈可能ガイドライン（「ＣＩＧ」）１５０に変換するための例示的なシステム１００を示す。システム１００のアーキテクチャは、例えば、ビルディングブロック（例えば、構成要素）を含み、様々な診療ＧＬから構成可能、拡張可能、および再使用可能なＣＩＧを作成するためにこれらのブロックの間でインターフェースする。ＣＩＧという用語を、本開示全体を通じて使用するが、代替的な用語として、「実行可能臨床ガイドライン」および「自動臨床ガイドライン」が挙げられ得る。システム１００アーキテクチャは、コンピュータ可読媒体上に記憶されており、プロセッサによって、下記により詳細に説明する特定の機能を実行するために実行可能であるコンピュータ可読命令またはコードを含むコンピュータ実行可能構成要素を含む。
【００２１】
システム１００は、書面診療ＧＬ１１０をコンピュータ可読ＣＩＧ１５０に変換するために知識獲得・管理（「ＫＡＭ」）ツール１４０を利用する。具体的にはＫＡＭツール１４０は、マッピングモジュール１４２と少なくとも１つのＣＩＧモデル１４５とを含む。マッピングモジュール１４２は、臨床ガイドラインデータの公式表現を例示的なＣＩＧ１５０にマッピングする。ＣＩＧモデル１４５は、診療ＧＬ１１０内に見出される知識を表現するための公式な方法を定義する。それゆえ、ＣＩＧモデル１４５は、臨床的概念、関連制御概念、およびそれらの関連をＣＩＧ１５０内で表現することができる方法を指定する。
【００２２】
書面診療ＧＬ１１０がＫＡＭツール１４０に提供されると、臨床ソース１２０（例えば、臨床専門家）およびフォーマット表現ソース１３０（例えば、知識工学技術者）からの入力がＫＡＭツール１４０において受信され得る。具体的には、知識工学技術者１３０は、ＫＡＭツール１４０を使用して、基礎となるＣＩＧモデル１４５に基づいてＣＩＧ１５０を作成することができる。知識工学技術者１３０によって生成されたＣＩＧ１５０は、例えば、ガイドライン表現、アプリケーション特化表現、および場所特化表現を含む。下記により詳細に説明するように、臨床専門家１２０とコンピュータベースの公式表現ソース１３０との共同作成によって、ＫＡＭツール１４０が診療ＧＬ１１０から再使用可能なＣＩＧ１５０を生成することが可能になる。
【００２３】
例示的なシステム１００によれば、ＣＩＧ１５０内に含まれる命令を実行するためのＣＩＧエンジン１６５が提供される。言い換えれば、ＣＩＧエンジン１６５は、知識工学技術者１３０によって提供される公式表現に従って例示的なＣＩＧ１５０を解釈および実行する。ＣＩＧエンジン１６５は、臨床決定支援（「ＣＤＳ」）アプリケーション１６０によって利用されてもよく、またはその一部分であってもよい。ＣＤＳアプリケーションまたはシステムは、患者データの診断の決定のような、意思決定タスクについて医師および他の医療従事者を支援するためのコンピュータソフトウェアを使用する対話型決定支援システムである。ＣＩＧエンジン１６５はＣＤＳアプリケーション１６０内の構成要素として記載されているが、システム１００内の構成要素のいずれもが独立型構成要素であるか、または１つまたは複数の構成要素と統合されるかのいずれかであってもよいことが留意されるべきである。
【００２４】
ＣＩＧ１５０によって提供される提案は、概して、ＣＩＧ１５０を利用する特定のＣＤＳアプリケーション１６０およびＣＩＧ１５０が使用されることになる場所の両方に対してカスタマイズされてもよい。再使用可能性を最大限にするために、例示的なシステム内の構成要素の各々は全体が拡張可能であってもよい。例えば、ＫＡＭツール１４０およびＣＩＧモデル１４５は、多くの特定のＣＤＳアプリケーションをサポートするように拡張可能であり得る固定再使用可能コアを提供してもよい。
【００２５】
上記のように、ＫＡＭツール１４０、および、その様々な構成要素（例えば、ＣＩＧモデリング構成要素１４５など）のいずれかは、プロセッサによって実行可能なソフトウェア命令として実装されてもよい。さらに、ＫＡＭツール１４０は、別個のプロセッサ、および、メモリのような固定コンピュータ可読記憶媒体を含んでもよい。したがって、メモリは、プロセッサによって実行可能であるソフトウェア命令セットを含んでもよい。ＫＡＭツール１４０の構成要素は、個々のプロセッサ、メモリおよび対応する命令をも含んでもよく、それによって、ＫＡＭツール１４０のためのマルチプロセッサアーキテクチャを形成することが留意されるべきである。
【００２６】
ＫＡＭツール１４０を含む例示的なシステム１００は、ユーザがＣＩＧ１５０を作成する複雑性を軽減することができる。システム１００は、コンテキスト特有のツールを使用して、ユーザに特定のタスクのための最良のツールを提供することができる。さらに、システム１００は、協働する異なるユーザの予測されるバックグラウンドまたは経験レベルに基づいてユーザ特有のツールを提供することができる。「ユーザ」という用語は、限定ではないが、アプリケーション／知識工学技術者、ＩＴ専門家、臨床専門医、医師、看護師、開業医などを含む、本明細書に記載するシステムおよび方法の任意の運営担当者を指してもよいことが留意されるべきである。
【００２７】
図２は、本明細書に記載する例示的な実施形態に係るＫＡＭツール１４０の開始画面、またはログインページの例示的な画面ビューを示す。例示的な画面ビュー２００、および、本明細書における他の画面ビューの各々は、図１に示すシステム１００のＫＡＭツール１４０および関連構成要素を参照して説明されることが留意されるべきである。
【００２８】
例示的な開始画面ビュー２００は、ユーザが既存のコンテンツ（例えば、ＣＩＧ１５０）を開いて変更するか、または新規コンテンツを作成することを可能にする。開始画面ビュー２００は、ＣＩＧ作成プロセスの進行性の流れ図を表すグラフィカルユーザーインターフェイス（「ＧＵＩ」）としての役割を果たす。具体的には、これらの流れ図は、臨床ＧＬ１１０のＣＩＧ１５０への変換中のステータス情報および更新を提供する。さらに、例示的なＧＵＩおよびＫＡＭツール１４０は、承認されたログイン認証情報を有するネットワーク上の任意の数のユーザにとってアクセス可能なウェブベースのポータルであってもよい。
【００２９】
画面ビュー２００の例示的な流れ図は、概要流れ図２１０、コンテンツ特有の流れ図２２０、およびステップ進行流れ図２３０を含む。これらの流れ図２１０〜２３０の各々は、ＣＩＧ１５０が作成されるにつれてユーザが進行することになる様々な段階を示す。このビュー２００は、視覚的な指示（例えば、「今この段階です（ｙｏｕ  ａｒｅ  ｈｅｒｅ）」の進行追跡機能）を提供することによって、ユーザがＫＡＭツール１４０を通じて進行することを補助する。例えば、画面ビュー２００は、現在の段階をユーザに示すために、１つまたは複数の流れ図内のステップボックスを強調または「ボールド」にすることができる。さらに、画面ビュー２００は、進行の中で完了したステップ、部分的に完了したステップ、および未完了のステップを示すために流れ図の中で色分けされたボックスを使用してもよい。
【００３０】
拡張可能ガイドラインモデル２４０は、ＣＩＧ１５０の作成の最も広い高レベルの段階を指す概要流れ図２１０を示す。概要流れ図２１０の第１の段階は、臨床専門家１２０からのＣＩＧ１５０の非公式な記述および知識工学技術者１３０からのＣＩＧ１５０の公式な記述のような、全般的な臨床コンテンツの集合を対象とする。この流れ図２１０の前端的な臨床コンテンツ段階の中で、ステップ進行流れ図２３０は、ＣＩＧ１５０の名前、組織、著者（複数の場合もあり）、バージョン番号、説明、および臨床目標を含む。
【００３１】
概要流れ図２１０の第２の段階は、臨床専門家１２０からの臨床アプリケーション特性および知識工学技術者１３０からの公式ＣＩＧアプリケーション特性のような、アプリケーション特有コンテンツを対象とする。下記により詳細に説明するように、アプリケーション特有特性は、様々な医療デバイスおよび特定のＣＤＳアプリケーションに関連する情報を含んでもよい。ユーザがこの段階を選択または強調したとき、ステップ進行流れ図２３０は、この段階と関連付けられるステップを示す。
【００３２】
概要流れ図２１０の第３の段階は、臨床専門家１２０からの場所特有のカスタマイズおよび知識工学技術者１３０からの実際の場所コンテンツに対する仮想基準のような、場所特有コンテンツを対象とする。下記により詳細に説明するように、場所特有コンテンツは、場所プロトコル（例えば、病院の方針および規則）、情報源（例えば、病院記録および研究室システム）などを含んでもよい。
【００３３】
ＫＡＭツール１４０は、インスタント・メッセージング・システム２５０をも含んでもよい。メッセージングシステム２５０は、共同的な団体間での通信のために、ＣＩＧ作成プロセスを通じてユーザにとって利用可能であってもよい。例えば、臨床専門家は、ＫＡＭツール１４０が使用中である間に、インスタントメッセージを介して、知識工学技術者に情報を送信することができ、知識工学技術者は、臨床専門家に、医療ステップに関するさらなる説明を求めて問い合わせることができる、などである。
【００３４】
図３は、本明細書に記載する例示的な実施形態に係るＫＡＭツール１４０のＣＩＧ１５０内の表現作成のための表現ウィザードウィンドウ３１０の例示的な画面ビュー３００を示す。表現ウィザードウィンドウ３１０は、臨床専門家１２０によって提供される情報テキスト記述を表す公式表現である。言い換えれば、臨床専門家１２０がガイドラインステップの情報記述を提供すると、知識工学技術者１３０は表現ウィザードウィンドウ３１０を使用して臨床ステップの公式表現を生成することができる。
【００３５】
例えば、画面ビュー３００に図示されている例は、冠状動脈性心疾患（「ＣＨＤ」）のリスクを検出するためのトリガプロセス（例えば、ステップ、条件、提案）に関する。この例において、臨床専門家１２０は、ＣＨＤリスク検査が最後に実行されたのが３〜５年よりも前である場合、ガイドラインが医師に主要な危険因子の存在およびステータスを評価するよう提案することを示す。したがって、知識工学技術者１３０は、ステップ／条件／提案の公式記述を検査し、表現ウィザードウィンドウ３１０を使用してステップ、エントリ条件および提案される行動の情報の各々についての公式表現を作成することができる。
【００３６】
表現ウィザードウィンドウ３１０は、公式表現を構築するためにコンテキストに応じたメニュー（例えば、プルダウンメニュー、ドロップダウンリスト、チェックボックスなど）を組み込んでもよいことが留意されるべきである。コンテキストに応じたメニューを使用することによって、公式表現の著者に対して構文的および意味的に正確な選択肢のみが利用可能であることを確実にすることができる。例えば、表現ウィザードウィンドウ３１０は、データフォーマットにおける入力（例えば、２００１／０１／０１）を必要とするフィールドにおける条件的な入力（例えば、「はい」または「いいえ」）を禁止することができる。これらの構文的および意味的に正確な表現を構築するために使用される表現ウィザード３１０内のコンテキストに応じたメニューは、ＫＡＭツール１４０によってＣＩＧモデル１４５から導出される。
【００３７】
図４は、本明細書に記載する例示的な実施形態に係るＫＡＭツール１４０によって表示される臨床プロセスビュー４１０および公式プロセスビュー４２０の両方の２つの例示的な画面ビューの間の比較４００を示す。上述のように、ＫＡＭツール１４０は、臨床専門家１２０が知識工学技術者１３０とともに作業することを可能にする共同ツールである。２つのビュー４１０、４２０は、これらの様々なタイプのユーザ著者がＫＡＭツール１４０を用いてどのような作業することができるかを示している。したがって、各ユーザは、ＣＩＧ１５０の作製中にＫＡＭツール１４０を進行するために自身の特有のディスプレイを利用することができる。
【００３８】
図４の臨床プロセスビュー４１０は、臨床専門家１２０によって作成されるものとしての、特定の臨床プロセスのより単純な高レベルのビューを図示している。言い換えれば、臨床専門家１２０は、例示的なＧＬによって参照される重要な臨床的要素を指定すると、この高レベルのビューを生成する。公式プロセスビュー４２０は、ＣＩＧの完全な公式仕様を作成する役割を担っている知識工学技術者１３０によって構築され得るものとしてのグラフィック表現を示す。具体的には、知識工学技術者１３０は、臨床プロセスビュー４１０内で特定される重要な要素の各々を、公式プロセスビュー４２０の公式表現（例えば、ＣＩＧモデル１４５）内の要素にマッピングする。上述のように、公式プロセスビュー４２０のＣＩＧモデル１４５は、コンピュータ（例えば、ＣＤＳアプリケーション１６０のＣＩＧエンジン１６５）によって解釈され得る。
【００３９】
図５は、本明細書に記載する例示的な実施形態に係るＫＡＭツール１４０を使用してＣＩＧ１５０にノード特有の、またはコンテキスト特有の特性を追加するための例示的な画面ビュー５００を示す。例示的なＫＡＭツール１４０およびＣＩＧ１５０によれば、ノードは、診療ＧＬ１１０全体を通じたステップまたは決定点の各々として定義される。これらのノードと関連付けられることになる特性の多くは前もって知っておくことができる。それゆえ、ＫＡＭツール１４０は、これらの既知の特性のすべてをリストしており、ユーザが、様々な特性に適切なツールを使用して各特性を編集することを可能にする。
【００４０】
上記の画面ビュー２００の例示的な流れ図と同様に、画面ビュー５００は、概要流れ図５１０、アプリケーション特有の流れ図５２０、およびステップ進行流れ図５３０を含む。ボールド処理の強調によって示されるように、概要流れ図５１０に沿った現在の段階は、「アプリケーション特有コンテンツ」段階である。この段階の中で、アプリケーション特有の流れ図５２０は、ユーザがＣＤＳアプリケーション特有特性を入力することができることを示している。さらに、ステップ進行流れ図５３０は、ユーザが、例示的なＣＤＳアプリケーション１６０の中の全体的な特性またはノード特有特性のいずれかを入力することができることを示している。具体的には、画面ビュー５００は、ユーザが、拡張可能マークアップ言語（「ＸＭＬ」）を使用して、（例えば、「グループ／ノード特有特性」ウィンドウ内で）強調されているノードに追加の特性をどのように割り当てることができるかを示している。
【００４１】
したがって、ＫＡＭツール１４０は、任意の数のノード特有特性を絶えず追加および変更する能力を有する。これらの特性は、ＣＩＧ、ＣＩＧ内のグループ、ならびにＣＩＧおよびグループ内のノードによって使用される一定のＣＤＳアプリケーションおよび／または特定の場所に関連し得る。それゆえ、ＫＡＭツール１４０は、任意のＣＩＧの知識を拡張し、ＣＩＧの著者が、ＣＩＧの現在のコンテンツへの可能な拡大を認識することを可能にする拡張可能ガイドラインモデルを提供する（例えば、特定の病院がガイドラインに関する方針を変更した場合、対応するＣＩＧ内のノードは、この変化を説明するように容易に変更されることができる）。
【００４２】
図６は、本明細書に記載する例示的な実施形態に係るＫＡＭツール１４０を使用した、ＣＩＧ１５０の著者のビュー６１０およびＣＩＧ１５０のアプリケーション特化ビュー６２０の両方の例示的な画面ビュー６００を示す。上述のように、ＫＡＭツール１４０は、臨床ガイドラインの概要のためにグラフィック表現をマッピングする能力を提供する。しかしながら、作成のために構築されたグラフィック表現は、必ずしも、特定のエンドユーザＣＤＳアプリケーションにとって所望される表現ではない場合がある。カスタマイズされたビューを作成することを望むＣＤＳアプリケーションのために、画面ビュー６００は、ユーザがどのように作成のために使用されるグラフィック概要の１つ（例えば、著者のビュー６１０）で開始して、その後、そのカスタマイズされたアプリケーションに特化するようにビューを編集する（例えば、アプリケーション特化ビュー６２０）ことができるかを示している。
【００４３】
例えば、ユーザは、２つのステップを１つに組み合わせることによって、初期概要を編集することを望む場合がある。これが行われるとき、組み合わされたステップ／ノードは、両方の元々のノードの特性を含むことが必要とされ得る。このプロセスを可能にするために、例えば、ＫＡＭツール１４０は、組み合わされたノードの元のノードのエントリ条件の前に「ｏｒ」ステップを論理的に挿入してもよく、組み合わされたノードの後続の完全性条件に「ａｎｄ」ステップを論理的に挿入してもよい。それゆえ、ＫＡＭツール１４０は、基礎となるガイドラインの様々な特性を維持しながら、ＣＩＧ内の複数のステップを併合するプロセスを自動化する。
【００４４】
図７は、本明細書に記載する例示的な実施形態に係るＫＡＭツール１４０を使用してさらなる仕様入力を必要とするノードを強調するための例示的な画面ビュー７００を示す。作成プロセスにおける適切な時点において、ＫＡＭツール１４０は、ＣＩＧ１５０内の不完全なおよび／または誤りのあるエントリを検出する。これらの状態のうちの１つが発生すると、ＫＡＭツール１４０は、ＣＩＧ１５０のグラフィック表現において特定のノードを強調することによってユーザに警告する。強調機能は、指定された色分け、点滅、または、さらなるユーザの介入を必要とするノードに注意を向ける任意の他のデバイスの形態であってもよい。加えて、ユーザによって強調されたノードが選択されると、懸案の正確な問題がＫＡＭツール１４０のテキスト入力ウィンドウ内に示される。画面ビュー７００に示す例によれば、ノード７１０は「１０年間でのリスクを計算する（Ｃａｌｃｕｌａｔｅ  １０ｙｒ  ｒｉｓｋ）」と読めるものとして強調されており、一方で提案テキスト入力ウィンドウ７２０は、「提案する（Ｒｅｃｏｍｍｅｎｄ）（ＣＨＤ＿１０＿Ｙｅａｒ＿Ｒｉｓｋ）」と読めるものとして強調されている
ＣＩＧが一般的には階層的であり得るという事実に起因して、懸案のノードがＣＩＧのグラフィック表現上では見ることができない可能性がある。そうである場合、ＫＡＭツール１４０は、懸案の患者ノード、または患者ノードの患者を強調することができる。ノードおよびその先祖のいずれもが現在グラフィック表現上に見えていない場合、ＫＡＭツール１４０は、ナビゲーション矢印７３０を提供してユーザを懸案のノードに誘導することができる。見えていないノードが強調されている場合、見えていないノードが依然として注意を要することを示すためにナビゲーション矢印も強調されることになる。具体的には、ナビゲーション矢印７３０は、ユーザを、ＣＩＧの階層を上へ戻るようにナビゲートするのに使用される。
【００４５】
図８は、本明細書に記載する例示的な実施形態に係るＫＡＭツール１４０を使用して臨床ガイドラインをＣＩＧ１５０に変換するための例示的な方法８００を示す。方法８００は、図１に示すシステム１００のＫＡＭツール１４０および関連構成要素を参照して説明されることが留意されるべきである。
【００４６】
上記に詳述したように、ＫＡＭツール１４０は、ユーザ（例えば、臨床専門家１２０および知識工学技術者１３０）が、臨床ガイドライン文書をＣＩＧに変換することを可能にする。例示的な実施形態の１つによれば、ＫＡＭツール１４０は、ユーザが臨床ガイドラインデータおよび臨床データの公式なコンピュータベースの表現を読み、作成し、増補し、解釈し、比較することを可能にする通信サービスを利用したネットワークベースのソフトウェアツールである。
【００４７】
ステップ８０５で開始して、ＫＡＭツール１４０は、少なくとも１人のユーザのログイン認証情報を受信および検証する。上記のように、ＫＡＭツール１４０は、ユーザにとってネットワーク（例えば、インターネット、ローカルイントラネットなど）を介してアクセス可能なウェブベースのポータルであってもよい。したがって、ＫＡＭツール１４０は、ログイン認証情報を使用してシステム安全性およびデータ完全性を確保することができる。
【００４８】
ステップ８１０において、ＫＡＭツール１４０はユーザを臨床専門家または知識工学技術者のいずれかとして識別する。上記のように、ＫＡＭツール１４０は臨床専門家１２０および知識表現専門家１３０の両方にとってアクセス可能であり得る。一実施形態によれば、ＫＡＭツール１４０は、ユーザのログイン認証情報に基づいてユーザをこれらの専門家のうちの一方として識別する。それゆえ、ＫＡＭツール１４０は、種々のタイプのユーザに適合するために様々な設定を調整する（例えば、情報臨床ビューおよび公式表現ビュー）。特定のユーザは、ＫＡＭツール１４０の様々な設定の間で切り替えることが可能であってもよいことが留意されるべきである。
【００４９】
ステップ８１５において、ＫＡＭツール１４０はユーザに対して臨床ガイドラインステップを入力するための様々な段階を経ていくように指示する。上記のように、ＫＡＭツール１４０はＣＩＧ生成プロセス全体を通じて臨床専門家１２０に視覚的な指示を提供する。これらの視覚的な指示は、ＫＡＭツール１４０によって描画される様々なフローチャート内の強調されたおよび／またはボールドのボックスの形態であってもよい。ユーザがＣＩＧ生成プロセスの各段階について作成を完了すると、ＫＡＭツール１４０にプロセスの次の段階に進むように指示する。したがって、ＫＡＭツール１４０によって提供される指示は、プロセス全体を通じてユーザに対するナビゲーションツールとしての役割を果たすことができる。
【００５０】
ステップ８２０において、ＫＡＭツール１４０は、臨床ガイドラインステップをユーザから受信し、受信した臨床ガイドラインステップを表示する。例えば、臨床専門家１２０は、書面ガイドラインに基づいて非公式臨床データを提供し得る。上記のように、非公式臨床データは、臨床ガイドラインを忠実に実行するための医療関係者を対象としたステップごとの命令の形態であってもよい。非公式臨床データは、ユーザによってＫＡＭツール１４０のＧＵＩを介して入力されてもよい。命令がユーザによって入力されると、ＫＡＭツール１４０は、それらをガイドラインのステップの各々全体を通じて適切なテキストウィンドウ内に表示する。
【００５１】
ステップ８２５において、ＫＡＭツール１４０はユーザに対して臨床ガイドラインの公式表現を入力するための様々な段階を経ていくように指示する。上記のステップ８１５と同様に、ＫＡＭツール１４０はＣＩＧ生成プロセス全体を通じて知識工学技術者１３０に視覚的な指示を提供する。これらの視覚的な指示は、様々なフローチャート内の強調されたおよび／またはボールドのボックスの形態であってもよく、ユーザにプロセスの各段階に進むように指示する。
【００５２】
ステップ８３０において、ＫＡＭツール１４０は、公式表現ステップをユーザから受信し、受信した公式表現ステップを表示する。例えば、知識工学技術者１３０は、臨床専門家１２０によって提供されるガイドラインステップの各々に対する公式のコンピュータベースの表現を提供し得る。上記のように、公式表現は、１つまたは複数のＣＤＳアプリケーション／システムによって解釈可能なコンピュータ可読命令（例えば、ＸＭＬ言語など）の形態であってもよい。公式表現データは、ユーザによってＫＡＭツール１４０のＧＵＩを介して入力されてもよい。
【００５３】
ステップ８３５において、ＫＡＭツール１４０はユーザに対してＣＤＳアプリケーションおよび／または場所に関連するコンテキスト特有データを作成するよう指示する。上記のように、ＫＡＭツール１４０は、ＣＩＧ生成プロセス全体を通じて視覚的な指示を介してユーザを前進させる。ユーザが概要流れ図２１０から全体的な臨床コンテンツを入力し終えると、ＫＡＭツール１４０はユーザに対してアプリケーション特有コンテンツおよび場所特有コンテンツを作成するよう指示する。
【００５４】
ステップ８４０において、ＫＡＭツール１４０は、コンテキスト特有データをユーザから受信し、受信したコンテキスト特有データを表示する。上記のように、知識工学技術者１３０によって提供される公式表現は、コンテキストに応じたウィンドウを使用して構築される。これらのウィンドウは、ＣＩＧ生成プロセスの間に適切なデータおよびデータフォーマットが入力されることを確実にするために、意味的および構文的に正確なメニューを含み得る。さらに、コンテキスト特有データは、ＣＩＧを特定のＣＤＳアプリケーション／システムまたは特定のロケーション向けにカスタマイズすることができる。例えば、公式表現のステップは、それが動作することになる特定のデバイスに対して調整することができる。加えて、公式表現のステップは、それが配備されることになる特定の病院に特化するように調整することもできる。
【００５５】
ステップ８４５において、ＫＡＭツール１４０は公式表現ステップを特定の場所にある特定のＣＤＳアプリケーション上にマッピングする。ステップ８４０において知識工学技術者によって提供される特定のアプリケーションコンテンツおよび場所コンテンツに基づいて、例示的なＣＩＧ１５０のグラフィック表現がマッピングモジュール１４２によってＣＤＳアプリケーション１６０にマッピングされる。上記のように、ＣＩＧ１５０によって提供される提案は、任意の特定のＣＤＳアプリケーションまたはシステム、および、ＣＩＧ１５０が使用されることになる場所に対してカスタマイズ可能である。ＫＡＭツール１４０によって生成されるＣＩＧの各々の再使用可能性を最大限にするために、ツール１４０の構成要素の各々は、任意の数のＣＤＳアプリケーション、および、既存のＣＤＳアプリケーションに対する任意の変更または修正をサポートするように拡張可能である。したがって、ＫＡＭツール１４０は、新規のＣＤＳデバイスならびに病院の慣習および方針の変更に適応可能であるように、各ＣＩＧの知識を拡張することが可能である。
【００５６】
ステップ８５０において、ＫＡＭツール１４０は公式表現ステップ内の任意のエラーおよび脱落を識別してユーザに警告する。上記のように、ＫＡＭツール１４０は、不完全または不適切であるＣＩＧプロセスの任意のステップまたは段階を検出する。具体的には、ＫＡＭツール１４０は、ＣＤＳアプリケーションの完全なＣＩＧを作成するためにさらなる仕様（例えば、公式表現）を必要とするＣＩＧの一部分を強調する。
【００５７】
本明細書に記載する例示的な方法８００は、ＫＡＭツール１４０およびシステムの関連構成要素によって実行可能な任意の数のステップの一例にすぎないことが留意されるべきである。したがって、ＫＡＭツール１４０は例示的な方法８００に記載するステップには限定されず、追加のステップまたはステップ８０５〜８５０よりも少ないステップを実行してもよい。追加のステップは、例えば、既存のＣＩＧ内の公式表現に対する修正を受信するステップ、ユーザ習性に基づいてＣＩＧ内の複数のステップを併合するステップ、ＣＩＧを修正しながら様々な臨床ガイドライン特性を維持するステップなどを含んでもよい。
【００５８】
上述の例示的な実施形態は、別個のソフトウェアモジュールとして、ハードウェアおよびソフトウェアの組合せとして、これら等を含む任意の数の方法において実装されてもよいことを、当業者は理解するであろう。例えば、ＫＡＭツール１４０および関連構成要素は、コンパイルされるとプロセッサ上で実行することができる、固定コンピュータ可読記憶媒体上に記憶される複数の命令行を含むプログラムであってもよい。例示的な実施形態によって、例えば、合理化されたＧＵＩを提示すること、ユーザをガイドラインの関連領域に誘導するための警告を提示すること、ヘルスケアソリューションがＣＩＧ技術を膨大な数のＣＤＳシステムおよびアプリケーションに容易に組み込む機会を生み出すこと、などにより、ＫＡＭツール１４０を実行したときに処理デバイスがより効率的に動作することが可能になることも、上記の説明から了解されるべきである。
【００５９】
なお、特許請求項は、ＰＣＴ規則６．２（ｂ）に従って参照符号／数字を含む場合がある。しかしながら、本特許請求項は、その参照符号／数字に対応する例示的な実施形態に限定されると考えられるべきではない。
【００６０】
本開示の精神または範囲から逸脱することなく、本開示において様々な改変を行うことができることが当業者には了解されよう。したがって、本開示は、添付の特許請求の範囲およびそれらの均等物の範囲内に入ることを条件として、本発明の改変形態および変形形態をカバーすることが留意される。
【図１】
0006268102.tif 000002
【図２】
0006268102.tif 000003
【図３】
0006268102.tif 000004
【図４】
0006268102.tif 000005
【図５】
0006268102.tif 000006
【図６】
0006268102.tif 000007
【図７】
0006268102.tif 000008
【図８】
0006268102.tif 000009